(57)【要約】【課題】  スキャナおよびプリンタエンジンの従来構成を変えることなく、スキャナ分離を容易に行え、確実に画像データを伝送することができるようにする。を図る。【解決手段】  画像読取装置３３と像形成装置４４とを離間して配置する画像形成装置において、デジタル画像データ及びタイミングクロックの少なくとも一方を低電圧差動シリアル信号（ＬＶＤＳ）に変換し、画像データを電気信号から光信号へ変換する電気／光変換素子３４と，光信号に変換された画像データを伝送する光伝送路３５と，伝送された光信号を電気信号へ変換する光／電気変換素子３６とを備える光伝送路モジュール３７で連結し、画像データ及びタイミングクロックの少なくとも一方に変換するして伝送する。【選択図】        図３
2006253985.tif 000002
【特許請求の範囲】
【請求項１】
デジタル画像データを外部装置へ転送する画像データ転送装置において、
前記転送装置はデジタル画像データ及びタイミングクロックの少なくとも一方を低電圧差動シリアル信号に変換し、一体的に転送する送信信号変換回路と、
画像データを電気信号から光信号へ変換する電気／光変換素子と，
光信号に変換された画像データを伝送する光伝送媒体と，
伝送された光信号を電気信号へ変換する光／電気変換素子と、低電圧作動デジタル画像データを画像データ及びタイミングクロックの少なくとも一方に変換する受信信号変換回路とを備えることを特徴とする画像データ転送装置。
【請求項２】
送信信号変換回路はパラレル信号をシリアル信号に変換するシリアル信号変換回路であることを特徴とする請求項１の画像データ伝送装置。
【請求項３】
画像データに関連する同期信号及びタイミング信号前記光伝送することを特徴とする請求項１または２記載の画像データ伝送装置。
【請求項４】
同期信号またはタイミング信号の少なくとも一方の信号エッジを画像データに時間的に多重化して光信号として伝送することを特徴とする請求項１または２の画像データ伝送装置。
【請求項５】
請求項１ないし４のいずれかの画像データ伝送装置を備えたことを特徴とする画像読取装置。
【請求項６】
画像読取装置とは異なる位置に設けられたＣＰＵから出力された駆動信号を画像読取装置に光信号として伝送することを特徴とする請求項５の画像読取装置。
【請求項７】
請求項４ないし６のいずれかの画像読取装置を備えたことを特徴とする画像処理装置。
【請求項８】
請求項１ないし４のいずれかの画像データ伝送装置を備えたことを特徴とする画像形成装置
【請求項９】
請求項５または６の画像読取装置を備えたことを特徴とする画像処理装置。
【請求項１０】
請求項７の画像処理装置を備えたことを特徴とする画像形成装置。
【発明の詳細な説明】
【技術分野】
【０００１】
本発明は、スキャナ、電子写真複写機等の画像形成装置における画像データ転送装置に係り、特に原稿画像信号をデジタル信号に変換し画像処理を施す画像読取装置から、画像形成装置に転送する画像データの転送装置に関する。
【背景技術】
【０００２】
従来、走査光学系で露光走査した原稿画像をＣＣＤラインイメージセンサ（以後ＣＣＤ）により読み取り、デジタル画像データとする画像読取装置であるスキャナ装置と、デジタル画像データに基づいてプリンタエンジンを駆動する画像形成装置であるプリンタ装置とを備えるデジタル複写機がある。近年のデジタル複写機は、アプライアンス性や福祉的な観点からスキャナ装置をプリントエンジン本体と分離し、ユーザが自在に配置できるスキャナ分離方式が提案されている。
【０００３】
このようなスキャナ装置では、走査光学系で露光走査し読み取った原稿のデジタル画像データをプリンタ装置へ転送するが、従来の画像データ伝送には、低振幅差動シリアル信号（ＬＶＤＳ；  Ｌｏｗ  Ｖｏｌｔａｇｅ  Ｄｉｆｆｅｒｅｎｔｉａｌ  Ｓｉｇｎａｌｓ）方式が用いられている。ＬＶＤＳ方式では電気的ノイズに比較的強く、動作クロックの高調波等に起因する放射ノイズを低減できるといった特徴をもつ。
【０００４】
しかしながら、前記スキャナ分離の場合、画像データ信号の伝送路が大幅に長くなるために、ＬＶＤＳ方式を用いているにも関わらず電気的ノイズの影響や放射ノイズを抑制しきれず、それによって画像データの伝送エラーや不要電磁波が発生する場合がある。
【０００５】
このように、スキャナを分離した画像形成装置に関して、以下のものがある。特許文献１には、画像スキャナ，画像処理ユニット，プリンタ，それらの動作を制御するメインコントローラ、および、外部拡張装置との間でデータ送受信するインタフェース、を含み、インタフェースを介して外部拡張装置と差動型シリアルデータバスでデータ送受信を行う事を特徴とする画像処理装置が記載されている。この画像処理装置ではインタフェースが外部拡張装置から受信したパルスＣＬＯＣＫに基いて外部拡張装置の接続有無を検出する回路を備え、メインコントローラが、検出信号を読み込んで、接続有無をチェックする。
【０００６】
特許文献２には、入力された画像信号はＡ／Ｄ変換部でデジタルデータに変換され、パケット生成部に供給され、パケット生成部は、各駆動部毎の識別情報を付したパケットを構築し、それを共通な伝送路に出力し、各駆動部のパケット解読部は、それぞれ自身宛のパケットについてのみ解読し、自身に割り当てられた素子群を駆動する画像形成装置が記載されている。
【０００７】
【特許文献１】特開２００１−１７７６８９号公報
【特許文献２】特開２０００−２５０４６５号公報
【発明の開示】
【発明が解決しようとする課題】
【０００８】
ところで、これら電気的ノイズや放射ノイズへの本質的な対策として、画像データの転送に光伝送を用いる方式が考えられている。光伝送は原理的に電気的ノイズの影響を受けず、また放射ノイズを発生しないため、前記問題を解決することができる。しかしながら、上記光伝送を実現するためには、従来のデジタル複写機、特にスキャナおよびプリンタ装置における構成を大幅に変更せざるを得ない。
【０００９】
そこで、本発明の目的は、前記画像データの光伝送を実現し、画像データ伝送エラーや放射ノイズなどを解決するとともに、複写機、特にスキャナおよびプリンタエンジンの従来構成を変えることなく、スキャナ分離を容易に行え、確実に画像データを伝送することができる画像データ伝送装置、画像読取装置、画像処理装置、画像形成装置を提供することにある。
【課題を解決するための手段】
【００１０】
請求項１の発明は、デジタル画像データを外部装置へ転送する画像データ転送装置において、前記転送装置はデジタル画像データ及びタイミングクロックの少なくとも一方を低電圧差動シリアル信号に変換し、一体的に転送する送信信号変換回路と、画像データを電気信号から光信号へ変換する電気／光変換素子と，光信号に変換された画像データを伝送する光伝送媒体と，伝送された光信号を電気信号へ変換する光／電気変換素子と、低電圧作動デジタル画像データを画像データ及びタイミングクロックの少なくとも一方に変換する受信信号変換回路とを備えることを特徴とする画像データ伝送装置である。
【００１１】
請求項２の発明は、請求項１の画像データ転送装置において、送信信号変換回路はパラレル信号をシリアル信号に変換するシリアル信号変換回路であることを特徴とする。
【００１２】
請求項３の発明は、請求項１または２記載の画像データに関連する同期信号及びタイミング信号前記光伝送することを特徴とする。
【００１３】
請求項４の発明は、請求項１または２記載の画像読取装置において、同期信号またはタイミング信号の少なくとも一方の信号エッジを画像データに時間的に多重化して光信号として伝送することを特徴とする。
【００１４】
請求項５の発明は、請求項１ないし４のいずれかの画像データ伝送装置を備えた画像読取装置である。
【００１５】
請求項６の発明は、請求項５の画像読取装置において、画像読取装置とは異なる位置に設けられたＣＰＵから出力された駆動信号を画像読取装置に光信号として伝送することを特徴とする。
【００１６】
請求項７の発明は、請求項４ないし６のいずれかの画像読取装置を備えたことを特徴とする画像処理装置である。
【００１７】
請求項８の発明は、請求項１ないし４のいずれかの画像データ伝送装置を備えたことを特徴とする画像形成装置である。
【００１８】
請求項９の発明は、請求項５または６の画像読取装置を備えたことを特徴とする画像形成装置である。
【００１９】
請求項１０の発明は、請求項７の画像処理装置を備えたことを特徴とする画像形成装置である。
【発明の効果】
【００２０】
本発明によれば、複写機、特にスキャナおよびプリンタエンジンの従来構成を変えることなく、スキャナ分離を容易に行えるものとし、画像データの光伝送を実現して画像データ伝送エラーや放射ノイズなどの影響を少なくすることができ、確実に画像データを伝送することができる。
【発明を実施するための最良の形態】
【００２１】
以下本発明を実施するための最良の形態を、図に示す実施例を参照して説明する。
【実施例１】
【００２２】
図１は実施例に係る画像形成装置の概略構成を示す図、図２は実施例に係る画像読取装置の概略構成を示す図、図３は第１の実施例に係る画像形成装置の構成を示すブロック図である。
【００２３】
本例に係る画像形成装置は、分離可能な画像読取装置３３と、像形成装置４４とを備えている。
【００２４】
画像読取装置３３には、原稿をアナログ画像信号として読み取る画像読取部１１が、像形成装置４４には用紙への印刷を行うプリンタエンジン４３を配置している。
【００２５】
画像読取部１１は、タイミング信号を発生するタイミング信号生成回路部３２と、原稿の画像を読み取りアナログ信号を発生するＣＣＤ２８と、所定のアナログ処理を実行するアナログ処理回路部２９と、アナログ信号をデジタル信号に変換するＡ／Ｄ変換回路部３０と、低振幅差動シリアル信号インタフェース（ＬＶＤＳインタフェース）３１とを備える。
【００２６】
また、像形成装置４４は、上記ＬＶＤＳインタフェース３１でからのデジタル信号を受信するＬＶＤＳインタフェース３８と、デジタル画像信号に所定の処理を行う画像処理回路部４０と画像形成装置全体を制御する処理装置（ＣＰＵ）３９とからなるデータ処理部２６を備え、データ処理部２６と前記プリンタエンジン４３とはインタフェース部（バスライン）４１で接続されている。
【００２７】
また、本例では画像読取装置３３と像形成装置４４とはＬＶＤＳインタフェース３１，３８を光伝送路モジュール３７で接続し、画像読取装置３３と像形成装置４４とは分離して配置できるよう構成されている。光伝送路モジュール３７は、図3に示すように、電気／光変換素子３４と、光伝送路３５と、光／電気変換素子３６とで構成される。
【００２８】
画像読取部１１は、図２に示すように原稿を載置するコンタクトガラス１と原稿露光用のハロゲンランプ２、第１反射ミラー３とからなる第１キャリッジ６と第２反射ミラー４及び第３反射ミラー５からなる第２キャリッジ７とＣＣＤリニアイメージセンサ９（図1中のＣＣＤ１７）に結像するためのレンズユニット８と読み取り光学系等による各種の歪みを補正するための白基準板１５から構成される。走査時は第１キャリッジ３及び第２キャリッジ７はステッピングモータ（記載していない）によって副走査方向Ａに移動する。
【００２９】
ＣＣＤ２８で光電変換されたアナログ画像データは、アナログ処理回路部２９へ出力される。アナログ処理回路部２９は、アナログ画像データに対してサンプルホールド処理、黒レベル補正などの各種画像処理を施したのち、Ａ／Ｄ変換回路部３０へ出力する。Ａ／Ｄ変換回路部３０は、入力されたアナログ画像データを１０ビットのデジタル画像データに変換し、さらにＬＶＤＳインタフェース３１、光伝送路モジュール３７、ＬＶＤＳインタフェース３８を介して画像処理回路部４０へ出力し、シェーディング補正やγ補正などの画像処理を施したのち、バスライン４１を介してプリンタエンジン４３に伝送される。スキャナ装置内のＣＣＤ２８、アナログ処理回路部２９、Ａ／Ｄ変換回路部３０、ステッピングモータおよびハロゲンランプ（ともに未記載）の各種タイミングクロックは、タイミング信号生成回路部３２において生成し供給される。
【００３０】
次に本例に係る画像形成装置の作動を説明する。本例では、図３で示すように、スキャナ３３で取得したデジタル画像データを電気信号から光信号に変換して、像形成装置４４へＲＧＢごとに光伝送し、その後光信号を電気信号へ変換し出力する。このとき、電気信号から光信号へ変換する電気／光変換素子３４と、光信号から電気信号へ変換する光／電気変換素子３６と、光伝送路３５とを一体とした光伝送路モジュール３７を用いている。
【００３１】
これにより従来のデジタル複写機での構成を変えず、光伝送路モジュール３７の挿入のみによって容易にスキャナ分離を行うことができる。また、ＬＶＤＳインターフェース３１、３８では差動信号線２本（＋／−）が１組となるが、本発明ではそのうちどちらか一方のみを用いればよいため、電気／光変換素子３４と光／電気変換素子３６はどちらか一方と接続されていればよい。また本発明では、ＬＶＤＳ３１、３８に、クロック・エンベデッド型のＬＶＤＳインタフェースを用いる。
【００３２】
さらに、本ではエンベデッド・クロックを採用しているので，クロック信号ない。即ちクロックのタイミングはデータ信号の中に埋め込まれており，受信側でデータ信号のクロス・ポイントをもとにクロックを抽出する。
【００３３】
即ち、図９に示すように、レシーバ側でパラ／シリ変換したのちに転送クロックの情報をシリアルデータの最初と最後の２ビットデータとして埋め込み、レシーバ側では図１０で示すように、転送されたデータをシリアル／パラレル変換したのちに２ビットデータからクロックを復元し、画像データとともに出力する。これにより、１組の差動信号線で転送クロックと画像データ双方の伝送が可能になる。
【００３４】
本例では、クロック・データ間およびデータ・データ間のタイミングスキューがなくなり、読取画像データを安定に伝送することができる。
【実施例２】
【００３５】
次に本発明の第２の実施例について説明する。本例では、画像データに関連する各種同期信号についても光伝送させる。これを図４で説明する。基本的な構成は図３に示した例と変わない。本例では、Ａ／Ｄ変換された１０ビットの画像データとその同期信号をＬＶＤＳトランスミッタ４７へ出力し、パラ／シリ変換し上記と同様に光伝送させる。その後、ＬＶＤＳレシーバ５２において、再びデジタル画像データと各種同期信号をシリ／パラ変換し、ともに後段の画像処理回路部５４へ出力する。以上のように、同期信号についても光伝送することができる。
【実施例３】
【００３６】
次に本発明の第３の実施例について説明する。光伝送によるスキャナ分離では、その光伝送系に対してのコストが大幅にかかってしまう場合がある。これは例えば、信号伝送路に用いる光ファイバ等が比較的高価なことに起因する。本発明では、この光伝送路の本数が最小限となる構成とし、画像品質を維持しつつ容易かつ低コストにスキャナ分離を実現できるようにする。
【００３７】
本例を図５に示す。図４の例との違いは、スキャナ装置６３のＬＶＤＳ６１前段の信号切替回路部６０に１０ビットの画像データとその同期信号を入力し、またプリンタ装置７５のＬＶＤＳ６８後段の信号選択回路部７０に伝送された１０ビットのデータを入力することである。信号切替回路部６０では、画像データ信号と同期信号を切替えて出力する。同期信号に対しては、そのアサートエッジの情報のみを抽出（アサート直前、直後の各１画素ずつの論理）し、画像データ１０ビットの信号ラインの各ビットに出力し、画像データについては１画素周期分の遅延をさせＬＶＤＳ６１へ出力する。
【００３８】
これにより、画像データの信号ラインには、１０ビットのデジタル画像データと１０ビット相当の同期信号のアサートエッジ（この場合、同期信号を１０本に分けているだけであり、各ビットに意味はない。各ビットの論理は全て０  ｏｒ  全て１であるため、データ受信側から見ればあたかも０  ｏｒ  １０２３ｄｉｇｉｔの１０ビット画像データのように見える）が同じ信号ラインに１画素周期だけずれてＬＶＤＳ６１へ出力されることになる。これにより、同期信号のアサートエッジの情報を画像データに重畳させて伝送することが可能となる。
【００３９】
これをＬＶＤＳトランスミッタ６１によりシリアル信号に変換し、光伝送路モジュール６７へ出力し、プリンタ装置７５へ光伝送する。伝送された信号は、ＬＶＤＳレシーバ６８でシリアル／パラレル変換され、信号選択回路部７０に出力される。信号選択回路部７０では、伝送された信号が画像データなのか同期信号のアサートエッジなのかを判断する。
【００４０】
ここでは、図８で示すように、伝送された信号を画素単位の画像データ（ｄｉｇｉｔ）に変換し、連続する２画素分のデータが０から１０２４ｄｉｇｉｔまたはその逆に変化するものを同期信号とすることで画像データと区別することができる（画像データはＭＴＦ（Ｍｏｄｕｌａｔｉｏｎ  Ｔｒａｎｓｆｅｒ  Ｆｕｎｃｔｉｏｎ）を持つため、０から１０２３（またはその逆）のようなデータ変化は起こり得ない）。その後、同期信号は、伝送されたアサートエッジの情報と予めメモリ等に記憶させておいたパルス幅をもとに同期信号を復元し、１画素周期分の遅延をもたせて画像データとタイミングを合わせ、１０ビットの画像データとともに後段の画像処理回路部７１へ出力する。
【００４１】
以上のように、同期信号のアサートエッジを１０ビットの画像データに重畳することで（時間的に多重化する）、光伝送路をＲＧＢの画像データ伝送に用いる最小限の本数で済む。なお、同期信号が複数ある場合は、ＲＧＢ伝送ラインそれぞれに信号を割り当てたり、さらにＣＰＵとのシリアル通信後等の信号順をメモリ等に記憶させておくことで対応できる。
【実施例４】
【００４２】
しかしながら上記構成では、システム全体を制御するＣＰＵとのシリアル通信において、電気的ノイズ等によってシリアル通信に伝送エラーが発生し、システムが誤動作してしまう場合がある。そこで本発明では、図６で示すようにシリアル通信信号も光伝送させる。
【００４３】
ここでは、スキャナ装置８０からプリンタ装置９４内のＣＰＵ９０へのシリアル通信信号に用いる電気／光変換素子８４と光／電気変換素子８２とを上記光伝送路モジュール８６に追加する（スキャナからＣＰＵへの場合は必要ない）。まず、ＣＰＵからスキャナへのシリアル通信の場合について説明する。ＣＰＵ９０から出力されたシリアル信号は、上記信号選択回路部８９をスルーし、追加された電気／光変換素子８４で電気／光変換され、画像データ（ＲＧＢ）の光伝送路８５を用いてスキャナへ伝送される。
【００４４】
その後、光／電気変換され、タイミング信号生成回路部７９へ入力される。一方、スキャナからＣＰＵへのシリアル通信の場合について説明する。前記タイミング信号生成回路部７９からのシリアル通信信号は上記信号切替回路部７７に出力し、画像データ（ＲＧＢ）の光伝送路８５を介してプリンタ装置９４へ伝送する。ここで、シリアル通信中の画像データは無効であることから、上記信号切替回路部７７により画像データの出力を止めておくことで、シリアル信号と画像データの混在を防ぐ。プリンタ装置９４へ伝送された信号は、上記信号選択回路部８９を介してＣＰＵ９０へ出力される。
【００４５】
一方、図７で示す画像データを伝送する場合は、プリンタ装置１１３へ光伝送するまでは（実施例３）と変わらない。プリンタ装置１１３へ伝送された画像データ（同期信号も含む）は、まず前記信号選択回路部１０８に入力し、ＬＶＤＳ１０６にてシリ／パラ変換をしたのち、再び信号選択回路部１０８へ入力し、（実施例３）と同様の処理により、画像データと同期信号を画像処理回路部１０７へ出力する。
【００４６】
ここで、スキャナ装置内の信号切替回路部において画像データ出力のＯＮ／ＯＦＦ、またプリンタ装置内の信号選択回路部において画像データとシリアル通信信号の出力先を切り替えているが、これはシリアル通信のクロック信号やイネーブル信号を用いることで行うことができる。
【００４７】
本発明によれば、電気／光変換素子と、光伝送路と、光／電気変換素子とを一体とした光伝送路モジュールと、クロック・エンベデッド型のＬＶＤＳインタフェースを用いたことにより、画像データと転送クロックのスキューを気にせず、かつ従来の構成をほとんど変えることなく、容易にスキャナ分離を実現することができる。
【００４８】
また、本発明によれば、画像データの各種同期信号も上記光伝送路モジュールにより光伝送することで、例えばデジタル複写機においてスキャナ分離配置にした場合でも、画素ずれ等の読取画像の品質低下を防ぐことができる。しかも、画像データの同期信号のエッジ情報を１０ビット画像データの信号ラインに重畳させることによって、より低コストで、また製造時の煩雑さを軽減しての実現が可能となる。
【００４９】
また、本発明によれば、有効な画像データと時間的にずれたシリアル通信信号も光伝送することで、例えばデジタル複写機においてスキャナ分離配置にした場合でも、信号の伝送エラーをなくし装置の誤動作を防ぐことができる。
【００５０】
さらに、本発明によれば、例えばデジタル複写機においてスキャナ分離配置にした場合でも、画素単位の画像データが時間的に安定するので、複写画像に色ずれや不要なドットのない安定した画像品質を維持することができる。
【００５１】
また、本発明によれば、例えばデジタル複写機においてスキャナ分離配置にした場合でも、複写画像における画像品質の低下を防ぎ、装置の高性能化を図ることができる。
【００５２】
そして、例えばデジタル複写機においてスキャナ分離配置にした場合でも、一連の画像処理または画像形成動作の安定化を図ることができる。
【図面の簡単な説明】
【００５３】
【図１】実施例に係る画像形成装置の概略構成を示す図である。
【図２】実施例に係る画像読取装置の概略構成を示す図である。
【図３】第１の実施例に係る画像形成装置の構成を示すブロック図である。
【図４】第２の実施例に係る画像形成装置の構成を示すブロック図である。
【図５】第３の実施例に係る画像形成装置の構成を示すブロック図である。
【図６】第４の実施例に係る画像形成装置の構成を示すブロック図である。
【図７】第５の実施例に係る画像形成装置の構成を示すブロック図である。
【図８】実施例に係る画像形成装置の画像信号の伝達の状態を示すタイミングチャートである。
【図９】クロック・エンベデッド型のＬＶＤＳインターフェースの信号処理を示すタイミングチャートである。
【図１０】クロック・エンベデッド型のＬＶＤＳインタフェースの信号処理を示すタイミングチャートである。
【符号の説明】
【００５４】
１・・・コンタクトガラス
２・・・ハロゲンランプ
３・・・第１反射ミラー
３・・・第１キャリッジ
４・・・第２反射ミラー
５・・・第３反射ミラー
６・・・第１キャリッジ
７・・・第２キャリッジ
８・・・レンズユニット
９・・・ＣＣＤリニアイメージセンサ
１０・・・画像データ
１１・・・画像読取部
１５・・・白基準板
２６・・・データ処理部
２９・・・アナログ処理回路部
３０・・・Ａ／Ｄ変換回路部
３１・・・ＬＶＤＳインタフェース
３２・・・タイミング信号生成回路部
３３・・・画像読取装置（スキャナ）
３４・・・電気／光変換素子
３５・・・光伝送路
３６・・・光／電気変換素子
３７・・・光伝送路モジュール
３８・・・ＬＶＤＳインタフェース
３９・・・処理装置（ＣＰＵ）
４０・・・画像処理回路部
４１・・・インタフェース部（バスライン）
４３・・・プリンタエンジン
４４・・・像形成装置
４７・・・ＬＶＤＳトランスミッタ
５２・・・ＬＶＤＳレシーバ
５４・・・画像処理回路部
６０・・・信号切替回路部
６１・・・ＬＶＤＳトランスミッタ
６３・・・スキャナ装置
６７・・・光伝送路モジュール
６８・・・ＬＶＤＳレシーバ
７０・・・信号選択回路部
７１・・・画像処理回路部
７５・・・プリンタ装置
７７・・・信号切替回路部
７９・・・タイミング信号生成回路部
８０・・・スキャナ装置
８２・・・電気変換素子
８４・・・光変換素子
８５・・・光伝送路
８６・・・光伝送路モジュール
８９・・・信号選択回路部
９０・・・ＣＰＵ
９４・・・プリンタ装置
１０７・・・画像処理回路部
１０８・・・信号選択回路部
１１３・・・プリンタ装置
【図１】
2006253985.tif 000003
【図２】
2006253985.tif 000004
【図３】
2006253985.tif 000005
【図４】
2006253985.tif 000006
【図５】
2006253985.tif 000007
【図６】
2006253985.tif 000008
【図７】
2006253985.tif 000009
【図８】
2006253985.tif 000010
【図９】
2006253985.tif 000011
【図１０】
2006253985.tif 000012